(57)【要約】【課題】  特に身障者の方が性交を行う場合に有効で、健康な人と同じようにセックスライフが楽しめるもので、身障者の方に朗報な身障者用性交台を提供する。【解決手段】  基台に、上下動する上下駆動部を設け、この上下駆動部の上部にリクライニングチェアを設けると共に、相対向する位置に、前後に移動するチェアを設けてなることを特徴とする。【選択図】  図１
2005305084.tif 000002
【特許請求の範囲】
【請求項１】
基台に、上下動する上下駆動部を設け、この上下駆動部の上部にリクライニングチェアを設けると共に、相対向する位置に、前後に移動するチェアを設けてなることを特徴とする身障者用性交台。
【請求項２】
取っ手を設けてなることを特徴とする請求項１記載の身障者用性交台。
【請求項３】
足掛台を設けてなることを特徴とする請求項１又は２記載の身障者用性交台。
【請求項４】
足掛台にマッサージ具を設けてなることを特徴とする請求項３記載の身障者用性交台。
【請求項５】
チェアの前後の移動を行う前後駆動部を設けてなることを特徴とする請求項１、２、３又は４記載の身障者用性交台。
【請求項６】
基台が、回転及び／または上下動すべく回転駆動部を設けてなることを特徴とする請求項１、２、３、４又は５記載の身障者用性交台。
【請求項７】
使用方法等を案内する案内メッセージ部を設けてなることを特徴とする請求項１、２、３、４、５又は６記載の身障者用性交台。
【請求項８】
リクライニングチェア及び／またはチェアにバイブレーターを設けてなることを特徴とする請求項１、２、３、４、５、６又は７記載の身障者用性交台。
【請求項９】
各種動作は、制御部にてコントロールすることを特徴とする請求項１、２、３、４、５、６、７又は８記載の身障者用性交台。
【請求項１０】
リクライニングチェアにアームを設けてなることを特徴とする請求項１、２、３、４、５、６、７、８又は９記載の身障者用性交台。
【請求項１１】
アーム間に手摺を設けてなることを特徴とする請求項１０記載の身障者用性交台。
【発明の詳細な説明】
【技術分野】
【０００１】  本発明は、特に身障者の方が性交を行う場合において、体が不自由でも十分満足できる身障者用性交台を提供するものである。
【背景技術】
【０００２】  従来の技術としては、一部が扇形状をなす上台の上面に、座部を設ける。一部が扇形状をなす上台の下面に、バネ脱着具を一以上設ける。一部が扇形状をなす下台の上面に、バネ脱着具を一以上設ける。バネの両端に突起物を取り付ける。バネ脱着具とバネ脱着部は、バネを取り付けたとき、垂直に位置するように取り付ける。下台の大きさは、上台の大きさと同一以上にする形態のものが開示されている。（特許文献１参照）
また、別の従来技術として、一対の向かい合わせて腰掛ける椅子を近接配置し、椅子の両側下部をワイヤー等の吊下材で吊り下げて、夫々の椅子を進退可能に配置し、夫々の椅子に揺動機構を連繁して揺動可能とした揺動椅子装置において、女性側の椅子を男性側の椅子より高くし、夫々の相手方の椅子に向かって全体として斜めに進退可能に配置すると共に、相互に逆方向に揺動可能とした性行為補助用揺動椅子装置が開示されている。（特許文献２参照）
【特許文献１】  特開２００４−９７７６４号  公報
【特許文献２】  特許第３１７７１８０号
【発明の開示】
【発明が解決しようとする課題】
【０００３】  上記前者のような形態のものは、健康な方が使用する上においては、それなりの効果を有するものと思われるが、それにしても、女性のみ使用するもので、逆に女性の腰を痛めてしまう恐れがある。
さらに、足や手等の体に支障のある方には使用できず、目的が全く異なるものである。
また、上記後者においては、相対向する椅子を斜めに進退可能に配置してなるものであり、体位が限定されると共に、身障者の方には使用しにくいものである。【０００４】  本発明は、上記の問題点に鑑みなされたもので、その目的は、特に身障者の方が性交を行う場合に有効で、健康な人と同じようにセックスライフが楽しめるもので、身障者の方に朗報な身障者用性交台を提供するものである。
【課題を解決するための手段】
【０００５】  そして、本発明は上記目的を達成するために、基台に、上下動する上下駆動部を設け、この上下駆動部の上部にリクライニングチェアを設けると共に、相対向する位置に、前後に移動するチェアを設けてなること。また、取っ手を設けてなること。足掛台を設けてなること。さらに、足掛台にマッサージ具を設けてなること。チェアの前後の移動を行う前後駆動部を設けてなること。さらにまた、基台が、回転及び／または上下動すべく回転駆動部を設けてなること。使用方法等を案内する案内メッセージ部を設けてなること。その上、リクライニングチェア及び／またはチェアにバイブレーターを設けてなること。各種動作は、制御部にてコントロールすること。その上また、リクライニングチェアにアームを設けてなること。アーム間に手摺を設けてなることを特徴とする。
【発明の効果】
【０００６】  本発明の身障者用性交台によれば、以下の効果を奏することができる。
１）、主に女性用のリクライニングチェアと、男性のチェアを相対向して設けることにより、体に障害のある方でも基本的な性行為を行うことができる。
２）、リクライニングチェアを上下動することができ、相手の体型に合せて調整できる。
３）、また、リクライニングチェアの背もたれを倒して座部と水平にすることにより、うつぶせや仰向けの体位が可能となる。
４）、背もたれの取っ手により、手を使える方であれば、握って体位を安定させることができる。
５）、チェアを前後に移動できることにより、前後運動が可能となり、手や足が不自由な方でも腰に負担なく行えるものである。
６）、足掛台を設けることにより、体位を保持することができる。
７）、基台を回転及び／または上下動させることにより、部屋の中でホテルの感覚を味わうことができる。
８）、各種動作はプログラミングされた制御部にて行うため使用者を煩わせることはない。
９）、マッサージ具を設けることにより、足やふくらはぎ等へのマッサージ効果を同時に得ることができる。
１０）、バイブレーターにより、一層快感を得ることができる。
１１）、案内メッセージ部により、身障者の方でも、簡単・容易に使用できる。
１２）、アームを設けることにより、肘を置いて、安定性を保つことができる。
１３）、アーム間に手摺を設けることにより、特に足が不自由な男性が手で手摺を掴み、チェアを前後に移動させるのに有効である。
１４）、コインタイマーを設けることにより、ホテル等の施設内において、レンタルにて使用できる。
【発明を実施するための最良の形態】
【実施例１】
【０００７】  １は、身障者用性交台である。
２は、中空立方体状の基台である。
３は、リクライニングチェアで、座部３ａと、少なくとも水平方向まで倒すことのできるアーム３ｂ１及び取っ手３ｂ２を設けてなる背もたれ３ｂとからなり、レバー３ｃにてリクライニング可能としてなる。
なお、アーム３ｂ１間に着脱自在な手摺３ｄを設けてもよい。
また、座部３ａ内にバイブレーター３ａ１を設けるのも一考である。
４は、上記リクライニングチェア３を上下動させるための駆動部で、油圧式あるいはエアー式、パンタグラフ式等、色々考えられるが、特に限定しない。
５は、上記リクライニングチェア３の相対向する位置に設けてなる前後に移動するチェアで、座部５ａの後部に腰当部５ｂを設けると共に、下部に２本のレール５ｃ・５ｃとベアリング等による支持部５ｄを設けてなるものである。
６ａ・６ｂは、上記の基台２の側面に４箇所設けてなる足掛台で、お互いの足を置いて使用してなるものである。
なお、凹凸状等のマッサージ具６ａ１・６ｂ１を設けるのも一考である。
７は、上記駆動部４を制御する制御部である。【０００８】  上記身障者用性交台１の使用例について下記に述べる。
まず、リクライニングチェア３の座部３ａに女性が座り、必要に応じて足掛台６ｂに足を置く。
つぎに、男性がチェア５の座部５ａに座り、必要に応じて制御部７にて駆動部４を作動させリクライニングの高さ調整を行い、チェア５をレール５ｃ・５ｃに沿って前後に動かし、使用するものである。【０００９】  他の使用例として、リクライニングチェア３の背もたれ３ｂをレバー３ｃにて倒し、座部３ａと水平位置にする。
この状態で、女性がうつぶせになり、必要に応じて手で取っ手３ｂ２を握り、足を足掛台６ａに載せる。
あるいは、女性が仰向けになり、必要に応じて足を足掛台６ａに載せる。
つぎに、男性がチェア５の座部５ａに座り、上記と同様にリクライニングチェア３の高さ調整を行い、チェア５をレール５ｃ・５ｃに沿って前後に動かし、使用するものである。
なお、必要に応じてバイブレーター３ａ１及びマッサージ具６ａ１・６ｂ１を使用するものである。【００１０】  また、女性がリクライニングチェア３に座り、制御部７にて駆動部４を作動させ、リクライニングチェア３を上昇させる。
所要の高さに調整した後、必要に応じて足を足掛台６ａ（６ｂ）に載せる。
その後、男性がチェア５に座り、所要の行為を行うものである。
【実施例２】
【００１１】  つぎに、他の身障者用性交台の実施例を説明する。
身障者用性交台２１は、上記身障者用性交台１と同様の構造に加え、基台２２の上部下面にチェア２５を自動的に前後に移動させる前後駆動部８を設けてなるもので、モーターＭに取り付けた雄ネジ軸８ａを回転させることにより、チェア２５の底面に連結した支持軸８ｂに設けた雌ネジ部８ｃが前後に移動し、チェア２５を移動させることができるものである。
なお、移動させるための長孔２２ａを基台２２の上部に設けてある。
また、前後駆動部８は、上記形態に限定せず、電磁石方式や油圧方式等、必要に応じて選定すればよい。
【実施例３】
【００１２】  身障者用性交台３１は、チェア３５の下部両側より突設してなる足掛部３６で、略Ｚ型に折曲した足アーム３６ａの上端部に足を置く受部３６ｂを設けてなるもので、特に足の動きが不自由な方に有効で、確実に開脚できるものである。
なお、バイブレーターによるマッサージ具３６ｃを設けるのも一考である。
また、必要に応じて足アーム３６ａを上下動させる構造のものも一考である。
【実施例４】
【００１３】  身障者用性交台４１は、基台４２の下部にモーターＭ１にて回転するギヤ９ａを介して回転軸を回転させ、基台４２を回転させる回転駆動部９を設けてなるもので、必要に応じて上記上下駆動部４を内設することにより、上下回転運動を同時に行うこともできる。【００１４】  なお、上記各実施例において、リクライニングチェア及びチェアの形状や大きさ、材質等は特に限定するものではなく、リクライニングチェアの下面に安定性のためのスプリングを設けてもよい。
また、各駆動部の構造は、同様な機能を有するものであれば、特に限定するものではない。
さらに、使用例については身障者の方の体の不具合によって使用方法を決めればよく、特に限定するものではない。
さらにまた、制御部に併設して、使用方法等を案内する案内メッセージ部を設けることやレンタルして使用できるようコインタイマーを設けてもよい。
【図面の簡単な説明】
【００１５】
【図１】  本発明の第１実施例を示す身障者用性交台の一部縦断正面図。
【図２】  本発明の第１実施例を示す身障者用性交台の平面図。
【図３】  本発明の第１実施例を示す身障者用性交台のチェアの縦断側面図。
【図４】  本発明の第１実施例を示す身障者用性交台の使用状態の一例目を示す正面図。
【図５】  本発明の第１実施例を示す身障者用性交台の使用状態の二例目を示す正面図。
【図６】  本発明の第１実施例を示す身障者用性交台の使用状態の三例目を示す正面図。
【図７】  本発明の第２実施例を示す身障者用性交台の要部の一部縦断正面図。
【図８】  本発明の第２実施例を示す身障者用性交台の要部の平面図。
【図９】  本発明の第３実施例を示す身障者用性交台の要部の一部縦断正面図。
【図１０】  本発明の第３実施例を示す身障者用性交台の要部の平面図。
【図１１】  本発明の第４実施例を示す身障者用性交台の要部の正面図。
【符号の説明】
【００１６】  １―――身障者用性交台
２―――基台
３―――リクライニングチェア
４―――駆動部
５―――チェア
６ａ――足掛台
６ｂ――足掛台
７―――制御部
８―――前後駆動部
９―――回転駆動部
【図１】
2005305084.tif 000003
【図２】
2005305084.tif 000004
【図３】
2005305084.tif 000005
【図４】
2005305084.tif 000006
【図５】
2005305084.tif 000007
【図６】
2005305084.tif 000008
【図７】
2005305084.tif 000009
【図８】
2005305084.tif 000010
【図９】
2005305084.tif 000011
【図１０】
2005305084.tif 000012
【図１１】
2005305084.tif 000013